(57)【要約】【課題】光源を覆うカバー間の位置ズレを抑制できる位置決め構造を提供する。【解決手段】位置決め構造ＰＳは、第１照明器具５１の第１光源２０３を覆う第１カバー４０１と第２照明器具５２の第２光源２０４を覆う第２カバー４０２とが第１方向Ｄ１に沿うように、第１カバー４０１に対して第２カバー４０２を位置決めする。位置決め構造ＰＳは、第１端面部１と、第２端面部２とを備える。第１端面部１は、第１カバー４０１の端４０１ａに配置される。第２端面部２は、第２カバー４０２の端４０２ａに配置される。第１端面部１は第１凸部１１を含む。第１凸部１１は、第１平坦面３１Ｓから第１方向Ｄ１に向かって突出している。第２端面部２は第１凹部２１を含む。第１凹部２１は、第２平坦面３２Ｓから第１方向Ｄ１に向かって窪んでいる。第１凸部１１は、第１凹部２１に係合することが可能である。【選択図】図２
2019207831.tif 000002
【特許請求の範囲】
【請求項１】
第１照明器具の光源を覆う第１カバーと第２照明器具の光源を覆う第２カバーとが第１方向に沿うように、前記第１カバーに対して前記第２カバーを位置決めする位置決め構造であって、
前記第１方向に略直交する第１平坦面を有し、前記第１カバーの端に配置される第１端面部と、
前記第１方向に略直交する第２平坦面を有し、前記第２カバーの端に配置される第２端面部と
を備え、
前記第１端面部は、前記第１平坦面から前記第１方向に向かって突出している第１凸部を含み、
前記第２端面部は、前記第２平坦面から前記第１方向に向かって窪んでいる第１凹部を含み、
前記第１凸部は、前記第１凹部に係合することが可能である、位置決め構造。
【請求項２】
前記第１凸部は、前記第１端面部の上端の側から下端の側に向かって延びており、
前記第１凹部は、前記第２端面部の上端の側から下端の側に向かって延びている、請求項１に記載の位置決め構造。
【請求項３】
前記第１端面部は、前記第１平坦面から前記第１方向と反対の第２方向に向かって窪んでいる第２凹部をさらに含み、
前記第２端面部は、前記第２平坦面から前記第２方向に向かって突出している第２凸部をさらに含み、
前記第２凸部は、前記第２凹部に係合することが可能である、請求項１又は請求項２に記載の位置決め構造。
【請求項４】
照明器具の光源を覆うカバーと、
第１方向に略直交する平坦面を有し、前記カバーの端に配置される端面部と
を備え、
前記端面部は、前記平坦面から前記第１方向に向かって突出している凸部、又は、前記平坦面から前記第１方向と反対の第２方向に向かって窪んでいる凹部を含む、カバーユニット。
【請求項５】
光源と、
前記光源を覆うカバーと、
第１方向に略直交する平坦面を有し、前記カバーの端に配置される端面部と
を備え、
前記端面部は、前記平坦面から前記第１方向に向かって突出している凸部、又は、前記平坦面から前記第１方向と反対の第２方向に向かって窪んでいる凹部を含む、照明器具。
【発明の詳細な説明】
【技術分野】
【０００１】
本発明は、位置決め構造、カバーユニット、及び照明器具に関する。
【背景技術】
【０００２】
特許文献１に記載された照明装置は、長尺状の本体と、長尺状のＬＥＤモジュールとを備える。本体は天井面に取り付けられる。ＬＥＤモジュールは本体に装着される。ＬＥＤモジュールは、２つのＬＥＤモジュール単体からなる。２つのＬＥＤモジュール単体は、長尺状の本体の所定の箇所に取り付けられる。２つのＬＥＤモジュール単体の各々は、透光性カバーを有する。
【先行技術文献】
【特許文献】
【０００３】
【特許文献１】特開２０１５−５３２１２号公報
【発明の概要】
【発明が解決しようとする課題】
【０００４】
しかしながら、特許文献１に記載された照明装置では、一方のＬＥＤモジュール単体と他方のＬＥＤモジュール単体との間で、ＬＥＤモジュールの短手方向に位置ズレが生じる可能性がある。換言すれば、一方の透光性カバーと他方の透光性カバーとの間で、透光性カバーの短手方向に位置ズレが生じる可能性がある。その結果、一方の透光性カバーと他方の透光性カバーとの配置が、一直線から若干ズレてしまい、特に発光時に光が一直線状にならず照明装置の美観が低下する可能性がある。
【０００５】
本発明は上記課題に鑑みてなされたものであり、その目的は、光源を覆うカバー間の位置ズレを抑制できる位置決め構造、カバーユニット、及び照明器具を提供することにある。
【課題を解決するための手段】
【０００６】
本願に開示する位置決め構造は、第１照明器具の光源を覆う第１カバーと第２照明器具の光源を覆う第２カバーとが第１方向に沿うように、前記第１カバーに対して前記第２カバーを位置決めする。位置決め構造は、第１端面部と、第２端面部とを備える。第１端面部は、前記第１方向に略直交する第１平坦面を有し、前記第１カバーの端に配置される。第２端面部は、前記第１方向に略直交する第２平坦面を有し、前記第２カバーの端に配置される。前記第１端面部は第１凸部を含む。第１凸部は、前記第１平坦面から前記第１方向に向かって突出している。前記第２端面部は第１凹部を含む。第１凹部は、前記第２平坦面から前記第１方向に向かって窪んでいる。前記第１凸部は、前記第１凹部に係合することが可能である。
【０００７】
本願に開示する位置決め構造において、前記第１凸部は、前記第１端面部の上端の側から下端の側に向かって延びていることが好ましい。前記第１凹部は、前記第２端面部の上端の側から下端の側に向かって延びていることが好ましい。
【０００８】
本願に開示する位置決め構造において、前記第１端面部は第２凹部をさらに含むことが好ましい。第２凹部は、前記第１平坦面から前記第１方向と反対の第２方向に向かって窪んでいることが好ましい。前記第２端面部は第２凸部をさらに含むことが好ましい。第２凸部は、前記第２平坦面から前記第２方向に向かって突出していることが好ましい。前記第２凸部は、前記第２凹部に係合することが可能であることが好ましい。
【０００９】
本願に開示するカバーユニットは、カバーと、端面部とを備える。カバーは、照明器具の光源を覆う。端面部は、第１方向に略直交する平坦面を有し、前記カバーの端に配置される。前記端面部は、前記平坦面から前記第１方向に向かって突出している凸部、又は、前記平坦面から前記第１方向と反対の第２方向に向かって窪んでいる凹部を含む。前記端面部は、前記第１方向に略直交する。
【００１０】
本願に開示する照明器具は、光源と、カバーと、端面部とを備える。カバーは、前記光源を覆う。端面部は、第１方向に略直交する平坦面を有し、前記カバーの端に配置される。前記端面部は、前記平坦面から前記第１方向に向かって突出している凸部、又は、前記平坦面から前記第１方向と反対の第２方向に向かって窪んでいる凹部を含む。前記端面部は、前記第１方向に略直交する。
【発明の効果】
【００１１】
本発明によれば、光源を覆うカバー間の位置ズレを抑制できる。
【図面の簡単な説明】
【００１２】
【図１】本発明の実施形態に係る照明システムを示す斜視図である。
【図２】本実施形態に係る照明システムの第１照明器具と第２照明器具との境界部分を示す斜視図である。
【図３】（ａ）は、本実施形態に係る照明システムの位置決め構造の第１端面部を示す斜視図である。（ｂ）は、本実施形態に係る照明システムの位置決め構造の第２端面部を示す斜視図である。
【図４】（ａ）は、本実施形態に係る照明システムの位置決め構造の第１端面部を示す断面図である。（ｂ）は、本実施形態に係る照明システムの位置決め構造の第２端面部を示す断面図である。
【図５】本実施形態に係る照明システムの位置決め構造の第１端面部と第２端面部との係合状態を示す断面図である。
【図６】本実施形態に係る照明システムの位置決め構造の第１凸部及び第１凹部を示す断面図である。
【図７】本実施形態に係る照明システムの位置決め構造の第２凹部及び第２凸部を示す断面図である。
【発明を実施するための形態】
【００１３】
以下、本発明の実施形態について、図面を参照しながら説明する。なお、図中、同一または相当部分については同一の参照符号を付して説明を繰り返さない。また、図中、理解の容易のため、三次元直交座標系のＸ軸、Ｙ軸、およびＺ軸を適宜記載している。Ｘ軸及びＹ軸は水平方向に平行であり、Ｚ軸は鉛直方向に平行である。Ｚ軸の正方向は鉛直上方向を示し、Ｚ軸の負方向は鉛直下方向を示す。
【００１４】
まず、図１を参照して、本発明の実施形態に係る照明システム１００を説明する。図１は、照明システム１００を示す図である。図１に示すように、照明システム１００は、第１照明器具５１と、第２照明器具５２と、位置決め構造ＰＳとを備える。
【００１５】
第１照明器具５１は光を出射する。第１照明器具５１は、第１方向Ｄ１に沿って延びている。本実施形態では、第１方向Ｄ１は、Ｙ軸に略平行であり、第１照明器具５１及び第２照明器具５２の長手方向を示す。なお、第１方向Ｄ１は特に限定されない。第１照明器具５１は、第１ベースユニット１０１と、第１カバーユニット３０１とを含む。第１カバーユニット３０１は「カバーユニット」の一例に相当する。
【００１６】
第１ベースユニット１０１は第１方向Ｄ１に沿って延びている。第１ベースユニット１０１は、本実施形態では、略直方体状である。第１ベースユニット１０１は、直接又は間接的に取付対象物に取り付けられる。取付対象物は、例えば、建造物のような構造物の取付部である。取付部は、例えば、天井面である。
【００１７】
第１ベースユニット１０１は、第１筐体２０１と、電源回路（不図示）とを含む。第１筐体２０１は断面視略Ｕ字形状を有する。第１筐体２０１は電源回路を収容する。
【００１８】
第１カバーユニット３０１は第１ベースユニット１０１に装着される。第１カバーユニット３０１は、第１方向Ｄ１に沿って延びている。本実施形態では、第１カバーユニット３０１が光を出射する。
【００１９】
第１カバーユニット３０１は、第１カバー４０１と、第１光源２０３と、第１エンドキャップ４１１とを含む。第１カバー４０１は「カバー」の一例に相当する。第１光源２０３は「光源」の一例に相当する。
【００２０】
第１光源２０３は、第１方向Ｄ１に沿って延びている。第１光源２０３は、第１カバーユニット３０１の上部に配置される。第１光源２０３は、単数又は複数の発光素子（不図示）を含む。発光素子は、例えば、ＬＥＤ（Ｌｉｇｈｔ  Ｅｍｉｔｔｉｎｇ  Ｄｉｏｄｅ）である。第１光源２０３には電源回路から電力が供給される。なお、第１光源２０３は、発光素子に代えて、蛍光灯又は白熱電球を含んでいてもよい。
【００２１】
第１カバー４０１は、第１方向Ｄ１に沿って延びている。第１カバー４０１は、断面視略Ｕ字形状を有する。第１カバー４０１は第１光源２０３を覆う。第１カバー４０１は、例えば、合成樹脂製である。第１カバー４０１は、例えば、第１光源２０３が出射した光を拡散する。第１カバー４０１は、例えば、白色半透明であってもよい。第１カバー４０１は、例えば、光拡散材料を含有した樹脂を成形することによって形成してもよいし、透明材料で成形した後に表面に光拡散処理を施して形成してもよい。
【００２２】
第１エンドキャップ４１１は、略矩形状かつ略平板状である。第１エンドキャップ４１１は、第１カバー４０１の端４０１ｂに形成された開口を塞ぐ。第１カバー４０１の端４０１ｂは、第１カバー４０１の第２方向Ｄ２の端を示す。第２方向Ｄ２は、第１方向Ｄ１と平行であり、第１方向Ｄ１と反対の方向を示す。第１エンドキャップ４１１は、例えば、合成樹脂製である。第１エンドキャップ４１１は、例えば、第１光源２０３が出射した光を拡散する。第１エンドキャップ４１１は、例えば、白色半透明であってもよい。第１エンドキャップ４１１は、例えば、光拡散材料を含有した樹脂を成形することによって形成してもよいし、透明材料で成形した後に表面に光拡散処理を施して形成してもよい。
【００２３】
第２照明器具５２は光を出射する。第２照明器具５２は、第１方向Ｄ１に沿って延びている。第２照明器具５２は、第２ベースユニット１０２と、第２カバーユニット３０２とを含む。第２カバーユニット３０２は「カバーユニット」の一例に相当する。
【００２４】
第２ベースユニット１０２は第１方向Ｄ１に沿って延びている。第２ベースユニット１０２は、本実施形態では、略直方体状である。第２ベースユニット１０２は、直接又は間接的に取付対象物に取り付けられる。
【００２５】
第２ベースユニット１０２は、第２筐体２０２と、電源回路（不図示）とを含む。第２筐体２０２は断面視略Ｕ字形状を有する。第２筐体２０２は電源回路を収容する。
【００２６】
第２カバーユニット３０２は第２ベースユニット１０２に装着される。第２カバーユニット３０２は、第１方向Ｄ１に沿って延びている。本実施形態では、第２カバーユニット３０２が光を出射する。
【００２７】
第２カバーユニット３０２は、第２カバー４０２と、第２光源２０４と、第２エンドキャップ４１２とを含む。第２カバー４０２は「カバー」の一例に相当する。第２光源２０４は「光源」の一例に相当する。
【００２８】
第２光源２０４は、第１方向Ｄ１に沿って延びている。第２光源２０４は、第２カバーユニット３０２の上部に配置される。第２光源２０４は、第１光源２０３と同様に、単数又は複数の発光素子（不図示）を含む。
【００２９】
第２カバー４０２は、第１方向Ｄ１に沿って延びている。第２カバー４０２は、断面視略Ｕ字形状を有する。第２カバー４０２は第２光源２０４を覆う。第２カバー４０２の構成は第１カバー４０１の構成と同様である。
【００３０】
第２エンドキャップ４１２は、略矩形状かつ略平板状である。第２エンドキャップ４１２は、第２カバー４０２の端４０２ｂに形成された開口を塞ぐ。第２カバー４０２の端４０２ｂは、第２カバー４０２の第１方向Ｄ１の端を示す。その他、第２エンドキャップ４１２の構成は第１エンドキャップ４１１の構成と同様である。
【００３１】
位置決め構造ＰＳは、第１カバー４０１と第２カバー４０２との境界に配置される。位置決め構造ＰＳは、第１カバー４０１と第２カバー４０２とが第１方向Ｄ１に沿うように、第１カバー４０１に対して第２カバー４０２を位置決めする。つまり、位置決め構造ＰＳは、第１カバー４０１と第２カバー４０２とが一直線上に並ぶように、第１カバー４０１に対して第２カバー４０２を位置決めする。
【００３２】
具体的には、位置決め構造ＰＳは、第１端面部１と、第２端面部２とを含む。第１端面部１と第２端面部２とは、互いに第１方向Ｄ１に対向して、互いに接触している。第１端面部１及び第２端面部２の各々は「端面部」の一例に相当する。
【００３３】
第１端面部１は、第１カバー４０１の端４０１ａに配置される。第１カバー４０１の端４０１ａは、第１カバー４０１の第１方向Ｄ１の端を示す。第１端面部１は、本実施形態では、略矩形状かつ略平板状である。第１端面部１は、第１エンドキャップ４１１に代えて、第１カバー４０１の端４０１ｂに配置可能な構造を有している。なお、第１カバーユニット３０１が第１端面部１を含んでいてもよい。第１端面部１は、例えば、合成樹脂製である。本実施形態では、第１端面部１は光透過部材で形成される。光透過部材は光を透過する。光透過部材は、例えば、入射した光を拡散して出射する。従って、第１端面部１は、例えば、第１光源２０３が出射した光を拡散する。第１端面部１は、例えば、白色半透明であってもよい。第１端面部１は、例えば、光拡散材料を含有した樹脂を成形することによって形成してもよいし、透明材料で成形した後に表面に光拡散処理を施して形成してもよい。
【００３４】
第２端面部２は、第２カバー４０２の端４０２ａに配置される。第２カバー４０２の端４０２ａは、第２カバー４０２の第２方向Ｄ２の端を示す。第２端面部２は、本実施形態では、略矩形状かつ略平板状である。第２端面部２は、第２エンドキャップ４１２に代えて、第２カバー４０２の端４０２ｂに配置可能な構造を有している。なお、第２カバーユニット３０２が第２端面部２を含んでいてもよい。第２端面部２は、例えば、合成樹脂製である。本実施形態では、第２端面部２は光透過部材で形成される。光透過部材は光を透過する。光透過部材は、例えば、入射した光を拡散して出射する。従って、第２端面部２は、例えば、第２光源２０４が出射した光を拡散する。第２端面部２は、例えば、白色半透明であってもよい。第２端面部２は、例えば、光拡散材料を含有した樹脂を成形することによって形成してもよいし、透明材料で成形した後に表面に光拡散処理を施して形成してもよい。
【００３５】
次に、図２〜図４（ｂ）を参照して位置決め構造ＰＳを詳細に説明する。図２は、第１照明器具５１と第２照明器具５２との境界部分を示す斜視図である。図２では、第１照明器具５１と第２照明器具５２とが連結される前の状態が示されている。図３（ａ）は、位置決め構造ＰＳの第１端面部１を示す斜視図である。図３（ｂ）は、位置決め構造ＰＳの第２端面部２を示す斜視図である。図４（ａ）は、第１端面部１を示す断面図である。図４（ａ）では、図３（ａ）のＩＶＡ−ＩＶＡ線に沿った第１端面部１の断面が示される。図４（ｂ）は、第２端面部２を示す断面図である。図４（ｂ）では、図３（ｂ）のＩＶＢ−ＩＶＢ線に沿った第２端面部２の断面が示される。
【００３６】
図２、図３（ａ）、及び図４（ａ）に示すように、位置決め構造ＰＳの第１端面部１は、第１方向Ｄ１に略直交している。
【００３７】
第１端面部１は、第１カバー４０１の端４０１ａに固定される。なお、第１端面部１と第１カバー４０１とが、別部材であってもよいし、一体成形品であってもよい。
【００３８】
第１端面部１は、略矩形状の第１平坦面３１Ｓと、上端３１Ｕと、下端３１Ｌと、一対の側端３１Ｖとを有する。第１平坦面３１Ｓは第１方向Ｄ１に略直交する。第１平坦面３１Ｓは「平坦面」の一例に相当する。上端３１Ｕ及び下端３１Ｌの各々は、第３方向Ｄ３に略平行である。一対の側端３１Ｖは鉛直方向ＤＶに略平行である。
【００３９】
第３方向Ｄ３は、第１方向Ｄ１と鉛直方向ＤＶとに対して略直交する。本実施形態では、第３方向Ｄ３は、Ｘ軸に略平行である。
【００４０】
第１端面部１は、第１凸部１１と、第２凹部１２とを含む。第１凸部１１と第２凹部１２とは、互いに略平行であり、第３方向Ｄ３に所定間隔をあけて配置される。
【００４１】
第１凸部１１は、第１平坦面３１Ｓから第１方向Ｄ１に向かって突出する。具体的には、第１凸部１１は、第１平坦面３１Ｓから第１方向Ｄ１に向かって、第１所定距離（以下、「第１所定距離Ｌ１」と記載する。）だけ突出している。第１所定距離Ｌ１は、例えば、１ミリメートル以上１．５ミリメートル以下である。
【００４２】
第１凸部１１は、第１端面部１の上端３１Ｕの側から下端３１Ｌの側に向かって略直線状に延びている。つまり、第１凸部１１は、鉛直方向ＤＶに沿って略直線状に延びている。
【００４３】
第２凹部１２は、第１平坦面３１Ｓから第２方向Ｄ２に向かって窪んでいる。具体的には、第２凹部１２は、第１平坦面３１Ｓから第２方向Ｄ２に向かって、第２所定距離（以下、「第２所定距離Ｌ２」と記載する。）だけ窪んでいる。第２所定距離Ｌ２は、例えば、１ミリメートル以上１．５ミリメートル以下である。本実施形態では、第２所定距離Ｌ２は第１所定距離Ｌ１と略同一である。
【００４４】
第２凹部１２は、第１端面部１の上端３１Ｕの側から下端３１Ｌの側に向かって略直線状に延びている。つまり、第２凹部１２は、鉛直方向ＤＶに沿って略直線状に延びている。
【００４５】
図２、図３（ｂ）、及び図４（ｂ）に示すように、位置決め構造ＰＳの第２端面部２は、第１方向Ｄ１に略直交している。
【００４６】
第２端面部２は、第２カバー４０２の端４０２ａに固定される。なお、第２端面部２と第２カバー４０２とが、別部材であってもよいし、一体成形品であってもよい。
【００４７】
第２端面部２は、略矩形状の第２平坦面３２Ｓと、上端３２Ｕと、下端３２Ｌと、一対の側端３２Ｖとを有する。第２平坦面３２Ｓは第１方向Ｄ１に略直交する。第２平坦面３２Ｓは「平坦面」の一例に相当する。上端３２Ｕ及び下端３２Ｌの各々は、第３方向Ｄ３に略平行である。一対の側端３２Ｖは鉛直方向ＤＶに略平行である。
【００４８】
第２端面部２は、第２凸部２２と、第１凹部２１とを含む。第２凸部２２と第１凹部２１とは、互いに略平行であり、第３方向Ｄ３に所定間隔をあけて配置される。
【００４９】
第２凸部２２は、第２平坦面３２Ｓから第２方向Ｄ２に向かって突出する。具体的には、第２凸部２２は、第２平坦面３２Ｓから第２方向Ｄ２に向かって、第２凹部１２に対応して第２所定距離Ｌ２だけ突出している。
【００５０】
第２凸部２２は、第２端面部２の上端３２Ｕの側から下端３２Ｌの側に向かって略直線状に延びている。つまり、第２凸部２２は、鉛直方向ＤＶに沿って略直線状に延びている。
【００５１】
第１凹部２１は、第２平坦面３２Ｓから第１方向Ｄ１に向かって窪んでいる。具体的には、第１凹部２１は、第２平坦面３２Ｓから第１方向Ｄ１に向かって、第１凸部１１に対応して第１所定距離Ｌ１だけ窪んでいる。
【００５２】
第１凹部２１は、第２端面部２の上端３２Ｕの側から下端３２Ｌの側に向かって略直線状に延びている。つまり、第１凹部２１は、鉛直方向ＤＶに沿って略直線状に延びている。
【００５３】
次に、図２及び図５を参照して、第１端面部１と第２端面部２との係合状態を説明する。図５は、第１端面部１と第２端面部２との係合状態を示す断面図である。図５では、第１端面部１及び第２端面部２を水平面（ＸＹ平面）で切断し、図２の鉛直方向ＤＶから第１端面部１及び第２端面部２を見ている。
【００５４】
図２に示すように、第１端面部１の第１凸部１１は、第２端面部２の第１凹部２１に係合することが可能である（矢印Ａ１参照）。従って、図５に示すように、第１凸部１１は、第１凹部２１に係合する。その結果、本実施形態によれば、第１カバー４０１に対する第２カバー４０２の位置ズレを抑制できる。つまり、第１カバー４０１と第２カバー４０２との間（カバー間）の位置ズレを抑制できる。
【００５５】
具体的には、第１カバー４０１と第２カバー４０２との間の第３方向Ｄ３の位置ズレを抑制できる。従って、第１カバー４０１（第１カバーユニット３０１）と第２カバー４０２（第２カバーユニット３０２）とを精度良く一直線上に配置できる。その結果、照明システム１００の美観を向上できる。また、図６を参照して後述するように、第１カバー４０１と第２カバー４０２との間の鉛直方向ＤＶの位置ズレを抑制することもできる。
【００５６】
特に、照明システムの発光時では、第１カバーと第２カバーとの間に第３方向Ｄ３の位置ズレが僅かでも生じると、第１照明器具の出射する光と第２照明器具の出射する光との一直線からのズレが目立つ可能性がある。しかしながら、本実施形態では、第１カバー４０１（第１カバーユニット３０１）と第２カバー４０２（第２カバーユニット３０２）とを精度良く一直線上に配置できるため、発光時においても、照明システム１００の美観を向上できる。
【００５７】
加えて、図２に示すように、本実施形態では、第２端面部２の第２凸部２２は、第１端面部１の第２凹部１２に係合することが可能である（矢印Ａ２参照）。従って、図５に示すように、第２凸部２２は、第２凹部１２に係合する。その結果、第１凸部１１及び第１凹部２１だけで位置ズレを抑制する場合と比較して、第１カバー４０１に対する第２カバー４０２の位置ズレを更に抑制できる。つまり、第１カバー４０１と第２カバー４０２との間（カバー間）の位置ズレを更に抑制できる。
【００５８】
具体的には、第１カバー４０１と第２カバー４０２との間の第３方向Ｄ３の位置ズレを更に抑制できる。従って、第１カバー４０１（第１カバーユニット３０１）と第２カバー４０２（第２カバーユニット３０２）とを更に精度良く一直線上に配置できる。その結果、非発光時と発光時との双方において、照明システム１００の美観を更に向上できる。また、図６及び図７を参照して後述するように、第１カバー４０１と第２カバー４０２との間の鉛直方向ＤＶの位置ズレを更に抑制することもできる。
【００５９】
また、図５に示すように、第１凸部１１が第１凹部２１に係合し、第２凸部２２が第２凹部１２に係合している状態では、第１端面部１の第１平坦面３１Ｓと第２端面部２の第２平坦面３２Ｓとが面接触している。従って、第１平坦面３１Ｓと第２平坦面３２Ｓとの間には実質的に隙間ができない。その結果、本実施形態では、第１照明器具５１の出射する光と第２照明器具５２の出射する光とが、連続的になって、発光時における照明システム１００の美観を更に向上できる。つまり、第１照明器具５１の出射する光と第２照明器具５２の出射する光とが、断続的になることが抑制される。
【００６０】
また、図１を参照して説明したように、本実施形態では、第１端面部１及び第２端面部２の各々を光透過部材で形成している。従って、第１照明器具５１及び第２照明器具５２の発光時において、第１カバー４０１及び第２カバー４０２とともに第１端面部１及び第２端面部２からも光が出射される。具体的には、第１端面部１の下端３１Ｌ及び一対の側端３１Ｖ（図２）から光が出射するとともに、第２端面部２の下端３２Ｌ及び一対の側端３２Ｖ（図２）から光が出射する。その結果、第１照明器具５１の出射する光と第２照明器具５２の出射する光とが、連続的になって、発光時における照明システム１００の美観を更に向上できる。なお、第１平坦面３１Ｓ及び第２平坦面３２Ｓからは、実質的に外部に光は出射されない。第１平坦面３１Ｓと第２平坦面３２Ｓとが面接触しているからである。
【００６１】
また、図３（ａ）及び図３（ｂ）を参照して説明したように、本実施形態によれば、第１凸部１１及び第２凹部１２が第１端面部１に配置され、第２凸部２２及び第１凹部２１が第２端面部２に配置されている。従って、第１端面部１と第２端面部２とを同一部材として形成できる。その結果、１種類の金型によって第１端面部１及び第２端面部２を製造できて、位置決め構造ＰＳの製造コストを低減できる。
【００６２】
次に、図２を参照して、第１ベースユニット１０１と第２ベースユニット１０２との連結を説明する。図２に示すように、第１ベースユニット１０１は、第１突出部２０５と、第２係合部２０７とを含む。第１突出部２０５と第２係合部２０７とは、第３方向Ｄ３に所定間隔をおいて配置される。
【００６３】
第１突出部２０５は、第１筐体２０１の端２０１ａに配置される。そして、第１突出部２０５は、第１筐体２０１の端２０１ａから第１方向Ｄ１に突出している。第１筐体２０１の端２０１ａは、第１筐体２０１の第１方向Ｄ１の端を示す。第１突出部２０５は略平板状である。第２係合部２０７は、第１筐体２０１の端２０１ａに配置される。第２係合部２０７は略溝状である。
【００６４】
第２ベースユニット１０２は、第２突出部２０６と、第１係合部２０８とを含む。第２突出部２０６と第１係合部２０８とは、第３方向Ｄ３に所定間隔をおいて配置される。
【００６５】
第２突出部２０６は、第２筐体２０２の端２０２ａに配置される。そして、第２突出部２０６は、第２筐体２０２の端２０２ａから第２方向Ｄ２に突出している。第２筐体２０２の端２０２ａは、第２筐体２０２の第２方向Ｄ２の端を示す。第２突出部２０６は略平板状である。第１係合部２０８は、第２筐体２０２の端２０２ａに配置される。第１係合部２０８は略溝状である。
【００６６】
第１ベースユニット１０１の第１突出部２０５が第２ベースユニット１０２の第１係合部２０８に係合する。さらに、第２ベースユニット１０２の第２突出部２０６が第１ベースユニット１０１の第２係合部２０７に係合する。その結果、第１ベースユニット１０１と第２ベースユニット１０２とが連結される。
【００６７】
なお、第１ベースユニット１０１と第２ベースユニット１０２との連結後に、第１カバーユニット３０１が第１ベースユニット１０１に装着され、第２カバーユニット３０２が第２ベースユニット１０２に装着される。なお、第１ベースユニット１０１と第２ベースユニット１０２との連結前に、第１カバーユニット３０１が第１ベースユニット１０１に装着され、第２カバーユニット３０２が第２ベースユニット１０２に装着されてもよい。
【００６８】
次に、図２〜図３（ｂ）を参照して、第１照明器具５１及び第２照明器具５２の取付手順の一例を説明する。取付対象物が、例えば、天井である場合、第１手順〜第５手順に従って、第１照明器具５１及び第２照明器具５２が天井に取り付けられる。
【００６９】
第１手順：作業者が、第１ベースユニット１０１を天井に略水平に直接又は間接的に取り付ける。
【００７０】
第２手順：作業者が、第２ベースユニット１０２の第２突出部２０６を第１ベースユニット１０１の第２係合部２０７に係合させつつ、第１ベースユニット１０１の第１突出部２０５を第２ベースユニット１０２の第１係合部２０８に係合させて、第１ベースユニット１０１と第２ベースユニット１０２とを連結する。
【００７１】
第３手順：作業者が、第１カバーユニット３０１を第１ベースユニット１０１に装着する。
【００７２】
第４手順：作業者が、第２カバーユニット３０２の第２凸部２２の下端ｂ２を第１カバーユニット３０１の第２凹部１２の下端ａ２に接触させるとともに、第１カバーユニット３０１の第１凸部１１の下端ａ１を第２カバーユニット３０２の第１凹部２１の下端ｂ１に接触させる。
【００７３】
第５手順：作業者が、第２凹部１２の下端ａ２及び第１凹部２１の下端ｂ１を支点として、第２カバーユニット３０２を鉛直面内で上方向に回動して、第２凸部２２を第２凹部１２に係合させるとともに、第１凸部１１を第１凹部２１に係合させつつ、第２カバーユニット３０２を第２ベースユニット１０２に装着する。
【００７４】
特に、本実施形態では、図２〜図３（ｂ）を参照して説明したように、第１凸部１１は、第１端面部１の上端３１Ｕの側から下端３１Ｌの側に向かって延びている。一方、第１凹部２１は、第２端面部２の上端３２Ｕの側から下端３２Ｌの側に向かって延びている。また、第２凸部２２は、第２端面部２の上端３２Ｕの側から下端３２Ｌの側に向かって延びている。一方、第２凹部１２は、第１端面部１の上端３１Ｕの側から下端３１Ｌの側に向かって延びている。
【００７５】
そして、作業者は、第５手順を行う際は、第２カバーユニット３０２を鉛直面内で上方向に回動する。従って、作業者は、第１凸部１１を第１凹部２１に係合させ易く、第２凸部２２を第２凹部１２に係合させ易い。
【００７６】
次に、図５及び図６を参照して、第１端面部１の第１凸部１１と第２端面部２の第１凹部２１との係合を説明する。図６は、第１凸部１１及び第１凹部２１を示す断面図である。図６では、第１凸部１１及び第１凹部２１を鉛直面（ＹＺ平面）で切断し、図２の第３方向Ｄ３から第１凸部１１及び第１凹部２１を見ている。
【００７７】
図５及び図６に示すように、第１凸部１１は第１凹部２１に係合する。つまり、第１凸部１１は第１凹部２１に嵌まる。第１凹部２１は、第１凸部１１の形状に沿った形状を有している。従って、第１凸部１１の表面と第１凹部２１の表面とは接触している。その結果、第１凸部１１と第１凹部２１との間には、成形時の寸法誤差などによる微小な隙間（例えば０．２ミリメートル）が存在するだけである。つまり、実質的には、第１凸部１１と第１凹部２１との間には隙間が存在しない。
【００７８】
従って、本実施形態によれば、第１カバー４０１と第２カバー４０２との間の第３方向Ｄ３の位置ズレと鉛直方向ＤＶの位置ズレとを更に抑制できる。
【００７９】
第１凸部１１は、第１凸部１１を鉛直方向ＤＶから見たときに、テーパー角θａ（図５）のテーパー形状を有している。第１凸部１１は、第１凸部１１を第３方向Ｄ３（図２）から見たときに、テーパー角θｂ（図６）のテーパー形状を有している。第１凹部２１は、第１凸部１１と同様に、テーパー角θａ及びテーパー角θｂのテーパー形状を有している。
【００８０】
テーパー角θａ及びテーパー角θｂの各々は、５度以上１０度以下であることが好ましい。第１凸部１１と第１凹部２１との間の滑りが抑制されて、第１カバー４０１と第２カバー４０２との間の第３方向Ｄ３の位置ズレと鉛直方向ＤＶの位置ズレとを更に抑制できるからである。
【００８１】
また、第１凸部１１と第１凹部２１とがテーパー形状を有しているため、第１凸部１１を第１凹部２１に容易に係合させることができる。なお、第１凸部１１及び第１凹部２１はテーパー形状を有していなくてもよい。
【００８２】
次に、図５及び図７を参照して、第２端面部２の第２凸部２２と第１端面部１の第２凹部１２との係合を説明する。図７は、第２凸部２２及び第２凹部１２を示す断面図である。図７では、第２凸部２２及び第２凹部１２を鉛直面（ＹＺ平面）で切断し、図２の第３方向Ｄ３から第２凸部２２及び第２凹部１２を見ている。
【００８３】
図５及び図７に示すように、第２凸部２２は第２凹部１２に係合する。つまり、第２凸部２２は第２凹部１２に嵌まる。第２凹部１２は、第２凸部２２の形状に沿った形状を有している。従って、第２凸部２２の表面と第２凹部１２の表面とは接触している。その結果、第２凸部２２と第２凹部１２との間には、成形時の寸法誤差などによる微小な隙間（例えば０．２ミリメートル）が存在するだけである。つまり、実質的には、第２凸部２２と第２凹部１２との間には隙間が存在しない。
【００８４】
従って、本実施形態によれば、第１カバー４０１と第２カバー４０２との間の第３方向Ｄ３の位置ズレと鉛直方向ＤＶの位置ズレとを更に抑制できる。
【００８５】
第２凸部２２及び第２凹部１２の各々は、第１凸部１１及び第１凹部２１の各々と同様に、テーパー角θａ（図５）及びテーパー角θｂ（図７）のテーパー形状を有している。テーパー角θａ及びテーパー角θｂの各々が、５度以上１０度以下であると、第２凸部２２と第２凹部１２との間の滑りが抑制されて、第１カバー４０１と第２カバー４０２との間の第３方向Ｄ３の位置ズレと鉛直方向ＤＶの位置ズレとを更に抑制できる。また、第２凸部２２と第２凹部１２とがテーパー形状を有しているため、第２凸部２２を第２凹部１２に容易に係合させることができる。なお、第２凸部２２及び第２凹部１２は、テーパー形状を有していなくてもよい。
【００８６】
以上、図面を参照しながら本発明の実施形態について説明した。但し、本発明は、上記の実施形態に限られるものではなく、その要旨を逸脱しない範囲で種々の態様において実施することが可能である（例えば、下記に示す（１）〜（４））。また、上記の実施形態に開示されている複数の構成要素を適宜組み合わせることによって、種々の発明の形成が可能である。例えば、実施形態に示される全構成要素から幾つかの構成要素を削除してもよい。さらに、異なる実施形態にわたる構成要素を適宜組み合わせてもよい。図面は、理解しやすくするために、それぞれの構成要素を主体に模式的に示しており、図示された各構成要素の厚み、長さ、個数、間隔等は、図面作成の都合上から実際とは異なる場合もある。また、上記の実施形態で示す各構成要素の材質、形状、寸法等は一例であって、特に限定されるものではなく、本発明の効果から実質的に逸脱しない範囲で種々の変更が可能である。
【００８７】
（１）図２〜図３（ｂ）を参照して説明したように、本実施形態では、位置決め構造ＰＳは、第１凸部１１、第１凹部２１、第２凸部２２、及び第２凹部１２を備えていた。ただし、位置決め構造ＰＳは、第１凸部１１及び第１凹部２１だけを備えていてもよいし、第２凸部２２及び第２凹部１２をだけを備えてもよい。
【００８８】
つまり、位置決め構造ＰＳは、凸部（例えば第１凸部１１）と凹部（例えば第１凹部２１）とのセット（以下、「凸凹セットＣＭ」と記載する。）を、１セットだけ備えていてもよい。また、本実施形態では、位置決め構造ＰＳは、凸凹セットＣＭを、２セット備えていたが、３セット以上の凸凹セットＣＭを備えていてもよい。
【００８９】
また、位置決め構造ＰＳが複数セット以上の凸凹セットＣＭを備える場合において、凸部（例えば第１凸部１１）が凹部（例えば第１凹部２１）に係合する限りにおいては、各凸部及び各凹部は、第１端面部１と第２端面部２とのうち、いずれに配置されてもよい。例えば、複数の凸部（例えば第１凸部１１及び第２凸部２２）が第１端面部１に配置され、複数の凹部（例えば第１凹部２１及び第２凹部１２）が第２端面部２に配置されてもよい。
【００９０】
（２）図２〜図３（ｂ）を参照して説明したように、本実施形態では、第１凸部１１、第１凹部２１、第２凸部２２、及び第２凹部１２は、略直線状に鉛直方向ＤＶに沿って延びていた。ただし、第１凸部１１が第１凹部２１に係合し、第２凸部２２が第２凹部１２に係合する限りにおいては、第１凸部１１、第１凹部２１、第２凸部２２、及び第２凹部１２の形状は、特に限定されない。
【００９１】
例えば、第１凸部１１、第１凹部２１、第２凸部２２、及び第２凹部１２は、略直線状に第３方向Ｄ３に沿って延びていてもよい。例えば、第１凸部１１と第２凹部１２とが異なる方向に延びており、第２凸部２２と第１凹部２１とが異なる方向に延びていてもよい。
【００９２】
（３）図１を参照して説明したように、本実施形態では、２つの照明器具（第１照明器具５１及び第２照明器具５２）を連結した。ただし、３つ以上の照明器具を連結することもできる。この場合も、本実施形態と同様に、互いに隣り合う一方の照明器具と他方の照明器具との間に位置決め構造ＰＳを配置して、互いに隣り合う一方のカバーに対して他方のカバーを位置決めする。
【００９３】
（４）図１を参照して説明したように、本実施形態では、第１カバーユニット３０１が第１光源２０３を有し、第２カバーユニット３０２が第２光源２０４を有していた。ただし、第１ベースユニット１０１が第１光源２０３を有し、第２ベースユニット１０２が第２光源２０４を有していてもよい。
【産業上の利用可能性】
【００９４】
本発明は、位置決め構造、カバーユニット、及び照明器具を提供するものであり、産業上の利用可能性を有する。
【符号の説明】
【００９５】
１    第１端面部（端面部）
２    第２端面部（端面部）
１１    第１凸部（凸部）
１２    第２凹部（凹部）
２１    第１凹部（凹部）
２２    第２凸部（凸部）
３１Ｓ    第１平坦面（平坦面）
３２Ｓ    第２平坦面（平坦面）
５１    第１照明器具（照明器具）
５２    第２照明器具（照明器具）
２０３    第１光源（光源）
２０４    第２光源（光源）
３０１    第１カバーユニット（カバーユニット）
３０２    第２カバーユニット（カバーユニット）
４０１    第１カバー（カバー）
４０２    第２カバー（カバー）
ＰＳ    位置決め構造
【図１】
2019207831.tif 000003
【図２】
2019207831.tif 000004
【図３】
2019207831.tif 000005
【図４】
2019207831.tif 000006
【図５】
2019207831.tif 000007
【図６】
2019207831.tif 000008
【図７】
2019207831.tif 000009